(57)【要約】【課題】硬貨収納袋の取り付け取り外しが簡単に行える硬貨収納装置を提供する。【解決手段】側面バンド３０と前面バンド３５を開いておき、布袋２を口金１の下側に嵌挿し、布袋嵌挿部１３を覆うようにストッパ３８の下端まで嵌挿し、側面バンド３０と前面バンド３５を閉めて、パンチ錠３６を締め付け固定する。布袋２は折曲部１５と押さえ下端３１により確実に押さえられ、布袋２が下方向にずれることがない。パンチ錠３６を外して、側面バンド３０と前面バンド３５を開き、布袋２を下方に引いて口金１から外すことにより簡単に取り外しができる。【選択図】  図１
2008181433.tif 000002
【特許請求の範囲】
【請求項１】
筒状の口金と、
該口金の周囲に設けられた係止用突起部と、
該突起部の上側に設けられ、硬貨収納袋を押さえる押さえ具と、
前記筒状の口金に外側から嵌挿され、前記突起部と押さえ具とにより、口金の外側において固定される硬貨収納袋と、
を備えたことを特徴とする硬貨収納装置。
【請求項２】
外側に硬貨収納袋を装着する筒状の口金であって、
該口金の周囲に設けられた係止用突起部と、
該突起部の上側に設けられ、硬貨収納袋を押さえる押さえ具と、を有し、
該突起部と押さえ具とにより、硬貨収納袋を口金の外側において固定する、
ことを特徴とする硬貨収納装置用の口金。
【請求項３】
前記係止用突起部が、口金の下端部の縁を折り曲げた折り曲げ部である、
請求項１の硬貨収納装置又は請求項２の硬貨収納装置用の口金。
【請求項４】
前記押さえ具が、前記口金に装着されたバンドである、
請求項１又は３の硬貨収納装置又は請求項２又は３の硬貨収納装置用の口金。
【発明の詳細な説明】
【技術分野】
【０００１】
この発明は、硬貨収納装置及び硬貨収納装置用の口金に関する。
【背景技術】
【０００２】
バス等の料金箱には、硬貨に加えて切符などの紙券類が投入され、これらの硬貨及び紙券類は券銭分離装置により硬貨と紙券に分離され、硬貨は硬貨収納装置に収納されるようになっている。
硬貨収納装置は、通常布製の硬貨収納袋を有し、この袋を金属などの筒状体である口金に装着して使用し、またこの袋を口金から取り外してそのまま銀行などに持ち込むことができるようになっている。
この硬貨収納袋を口金に装着する構成として、従来は口金に針を設けて、ここに収納袋を引っかける構成や、口金の開口部で袋を折り返してカバーで押さえる等の構成が採用されていた。
【０００３】
【特許文献１】特開平１０−１１６３７２号
【発明の開示】
【発明が解決しようとする課題】
【０００４】
しかし、針を用いる構成の場合、袋に針を刺す作業が面倒であり、また袋を傷めるため耐久性に欠け、更に針が危険であるなどの問題がある。
また口金の開口部で袋を折り返してカバーで押さえる構成の場合、折り返す作業が面倒で作業時間が長くなる欠点がある。
本発明は上記従来技術の問題を解決することを目的とする。
【課題を解決するための手段】
【０００５】
上記目的を達成するために、本発明の硬貨収納装置は、筒状の口金と、該口金の周囲に設けられた係止用突起部と、該突起部の上側に設けられ、硬貨収納袋を押さえる押さえ具と、前記筒状の口金に外側から嵌挿され、前記突起部と押さえ具とにより、口金の外側において固定される硬貨収納袋と、を備えたことを特徴とする。前記係止用突起部は、口金の下端部の縁を折り曲げた折り曲げ部であることが望ましい。また、前記押さえ具は、前記口金に装着されたバンドであることが望ましい。
【発明の効果】
【０００６】
本発明の硬貨収納装置は、硬貨収納袋を口金の外側に嵌挿して押さえ具で押さえるだけで良いので、硬貨収納袋の取り付け取り外しが簡単に行える、効果がある。
【発明を実施するための最良の形態】
【０００７】
以下本発明の実施の形態を図面に基づいて説明する。
図１において、硬貨収納装置Ａは口金１と布袋２及び押さえ具３とを有する。硬貨収納装置Ａはバスの料金箱や券銭分離機などに装着され、硬貨を布袋２内に収納し、この布袋２を取り外してそのまま運搬できるように構成されている。
【０００８】
口金１は金属製の４角形の筒状体であり、上下に開口１０を有し、上の開口１０から硬貨を受け入れ、布袋２に収納するようになっている。
布袋２は口金１の下側に外側から嵌挿し、押さえ具３により押さえられて口金１に装脱可能に固定されている。
【０００９】
口金１の両側面の下端は上方向に折り曲げられた折曲部１５になっており、この折曲部１５と押さえ具３により、布袋２は効果的に口金１に固定されるように構成されている。
【００１０】
押さえ具３は金属製等の板状材からなり、図２と図３に示すように、側面バンド３０、３０と前面バンド３５、３５及びストッパ３８とから構成されている。ストッパ３８は口金１の背面１Ｂ側に固定されており、口金１の下端からの所定の距離だけ上の位置に装着され、ストッパ３８の下側が布袋嵌挿部１３になっている。この布袋嵌挿部１３にストッパ３８の下端まで布袋２を嵌挿するように構成されている。ストッパ３８は背面１Ｂの幅に対応する幅を有している。
【００１１】
側面バンド３０、３０はストッパ３８の両端に蝶番３９、３９を介して装着されている。側面バンド３０は、口金１の側面１Ｓに対応する幅を有している。
側面バンド３０、３０には連続して前面バンド３５、３５一体的に設けられている。前面バンド３５は側面バンド３０とほぼ直角の角度を有しており、口金１の前面１Ｆに接触するようになっている。
【００１２】
前面バンド３５、３５には図２に示すようにパンチ錠３６が設けられており、前面１Ｆにおいて、パンチ錠３６を締めることにより、側面バンド３０と前面バンド３５により布袋２を口金１に締め付けることが出来るようになっている。
【００１３】
側面バンド３０は、その下端の辺が押さえ下端３１になっており、折曲部１５と協働して布袋２を確実に係止するようになっている。
図４に示すように、押さえ下端３１と折曲部１５の上端との隙間Ｇは布袋２の厚さに対応した寸法に設定されており、押さえ下端３１と折曲部１５により布袋２を確実に押さえて、布袋２が下方向にずれることを防止できるようになっている。
【００１４】
以上の構成において、口金１に布袋２を装着する際には、側面バンド３０と前面バンド３５を開いておき、布袋２を口金１の下側に嵌挿し、布袋嵌挿部１３を覆うようにストッパ３８の下端まで嵌挿する。
この状態で、側面バンド３０と前面バンド３５を閉めて、パンチ錠３６を締め付ければ、布袋２の口金１への嵌挿部が口金１に締め付けられ、固定される。特に側面１Ｓにおいて、布袋２は折曲部１５と押さえ下端３１により確実に押さえられ、布袋２が下方向にずれることがない。
【００１５】
布袋２を取り外すときは、パンチ錠３６を外して、側面バンド３０と前面バンド３５を開き、布袋２を下方に引いて口金１から外すことにより簡単に取り外しができる。
【図面の簡単な説明】
【００１６】
【図１】本発明の一実施形態を示す斜視図。
【図２】本発明の一実施形態の口金１を示す斜視図。
【図３】本発明の一実施形態の口金１を示す斜視図。
【図４】本発明の一実施形態の動作説明図。
【符号の説明】
【００１７】
１：口金、２：布袋、３：押さえ具、１０：開口、１３：布袋嵌挿部、１５：折曲部、３０：側面バンド、３１：押さえ下端、３５：前面バンド、３６：パンチ錠、３８：ストッパ、３９：蝶番。
【図１】
2008181433.tif 000003
【図２】
2008181433.tif 000004
【図３】
2008181433.tif 000005
【図４】
2008181433.tif 000006